(57)【特許請求の範囲】
【請求項１】
交流電源を整流・平滑した直流電源で動作するインバータ回路と、非常用電源で動作する非常点灯用回路と、交流電源の有無に応じて放電灯を前記インバータ回路または前記非常点灯用回路に接続を切替えて点灯させる検知・制御手段とを備える非常灯切替回路において、前記インバータ回路は、このインバータ回路に接続される前記放電灯が点灯中に前記インバータ回路から電気的に外されたことを検出すると前記インバータ回路を保護して、所定時間は保護状態を継続し、前記所定時間経過後に保護状態を解除する保護機能を備え、前記検知・制御手段は、前記交流電源が停電したことを検知すると前記放電灯を前記インバータ回路から切り離して前記非常点灯用回路に接続するように切替え、前記交流電源が復電したことを検知すると前記所定時間より遅延させて前記放電灯を前記非常灯用点灯回路から切り離して前記インバータ回路に接続するように切替えるタイマー手段とを備えたことを特徴とする非常灯切替回路。
【発明の詳細な説明】
【０００１】
【発明の属する技術分野】
この発明は、保護機能を有する一般点灯用インバータ回路と組合せて使用され、交流電源の停電時に非常点灯用回路により非常点灯をする非常灯切替回路に関する。
【０００２】
【従来の技術】
図６は例えば特公平５−４８３６号公報に示された従来の非常灯切替回路の回路図であり、図７は図６のブロック図である。図において、Ｅは交流電源（商用電源）、ＲＹはリレーコイル、Ｒｙ１〜Ｒｙ３はリレー接点、Ｔ１は電源トランス、ＲｅはダイオードＤ１１〜Ｄ１４からなる全波整流回路、ＢはＮｉ−Ｃｄ蓄電池等の非常用電源である二次電池、Ｒ１は抵抗、１５は一般点灯用回路であり、バラストチョークＣＨ２を使用した磁気式の安定器からなる。ＬＡ１は放電灯、Ｇはグローランプ、Ｃ４は雑音防止用コンデンサである。１４は非常点灯用回路であるバラスト方式の自励式インバータＩＶ２であり、トランジスタＱ２、Ｑ３、コンデンサＣ１、抵抗Ｒ２、Ｒ３、発振トランスＴ２、チョークコイルＣＨ１、コンデンサＣ２、Ｃ３からなる。
【０００３】
交流電源Ｅが通電状態にあるときには、交流電源Ｅと並列接続されているリレーコイルＲＹが励磁されており、リレー接点Ｒｙ２、ＲＹ３が常開接点ＮＯに接続されるため、放電灯ＬＡ１が点灯している。また、リレー接点Ｒｙ１が常開接点ＮＯに切替えられるため、インバータＩＶ２は動作せず、交流電源Ｅの電圧は電源トランスＴにより降圧され、整流器Ｒｅで全波整流され、二次電池Ｂを充電している。
【０００４】
次に、停電時には、リレーコイルＲＹの励磁電圧がなくなり、リレー接点Ｒｙ〜Ｒｙ３は図示の状態とは逆に常閉接点ＮＣに切替わり、インバータＩＶ２が発振を開始し、交流電源Ｅの電圧が高周波電圧に変化され、放電灯ＬＡ１に印加されるため、放電灯ＬＡ１は非常点灯を開始する。そして、交流電源Ｅが復帰するとリレーコイルＲＹに励磁電圧が発生して、非常点灯から一般点灯に切替わる。リレーコイルＲＹの切替に要する時間は、交流電源Ｅの周期より短く約数ｍｓである。
【０００５】
【発明が解決しようとする課題】
上記のような従来の非常灯切替回路では、一般の放電灯点灯回路１５に磁気式の安定器ＣＨ２を使用したものを非常灯切替回路１４と組み合わせているが、図８に示す保護回路を有するインバータ式の安定器を使用したものと組み合わせて使用した場合、非常点灯回路１４が一般点灯回路１５に切り替わっても点灯しないという問題があった。これにつき図８により次に説明する。
【０００６】
図８は例えば特開２０００−２１５９１に示された従来の放電灯点灯装置の回路図である。図において１６は図１に示す非常用切替器に接続される一般点灯用回路の部分である。
ＤＢは整流回路、ＤＣ１は平滑回路で、高調波チョークＴ１、ダイオードＤ１、ダイオードＤ１と整流回路ＤＢの負極側との間に接続された平滑コンデンサＣ１１、スイッチング素子Ｑ１、第１分離ダイオードＤ２、コンデンサＣ９、アクティブフィルタ制御回路ＩＣ１、起動抵抗Ｒ５２から構成されている。
【０００７】
アクティブフィルタ制御回路ＩＣ１は、にコンデンサＣ９の充電電圧が動作電圧に達すると高周波信号を発振してスイッチング素子Ｑ１をオン・オフし、平滑コンデンサＣ１１に充電し昇圧する。
【０００８】
インバータ回路ＩＶ１は、平滑回路ＤＣ１の両極間に、電圧検出回路ＤＴの検出抵抗Ｒ２９を介して接続された一対のスイッチング素子Ｑ２、Ｑ３、進相コンデンサＣ２５、ランプ接続検出用抵抗Ｒ５４、Ｒ５５、第２分離ダイオードＤ３とコンデンサＣ１６とからなるインバータ制御電源回路、ランプ接続検出用トランジスタＱ９、インバータ制御回路ＩＣ２から構成される。
【０００９】
インバータ制御回路ＩＣ２は、点灯中の蛍光ランプＬＡ１に印加する高周波電圧が異常かどうかを識別するための閾値Ｖ５が設定されており、コンデンサＣ１６の充電電圧が動作電圧に達すると高周波信号を発振してスイッチング素子Ｑ２、Ｑ３を交互にオン・オフし、また、端子５に閾値Ｖ５を越える電圧が印加されたときはスイッチング素子Ｑ２、Ｑ３の駆動を停止する。
【００１０】
放電灯回路ＬＡＣ１は、蛍光ランプＬＡ１、バラストチョークＴ２、カップリングコンデンサＣ２２、ランプ接続検出用抵抗Ｒ５３、始動用のコンデンサＣ２３から構成されている。
【００１１】
電圧検出回路ＤＴは、スイッチング素子Ｑ３と平滑回路ＤＣ１の負極側との間に挿入された検出抵抗Ｒ２９、抵抗Ｒ２７、ダイオードＤ６、ダイオードＤ６に接続されていると共に、インバータ制御回路ＩＣ２の端子５に接続されたコンデンサＣ２１から構成されている。
【００１２】
以上のように構成された放電灯点灯装置においては、交流電源ＡＣが投入されると、整流回路ＤＢがその交流電圧を整流し、平滑コンデンサＣ１１に充電する。平滑コンデンサＣ１１によって変換された直流電圧から起動電流として、蛍光ランプＬＡ１の電極Ｆ１１→ランプ接続検出用抵抗Ｒ５３→電極Ｆ１２→ランプ接続検出用抵抗Ｒ５４を経て抵抗Ｒ５５に流れ、抵抗Ｒ５５に電圧を発生させてランプ接続検出用トランジスタＱ９をオフ状態にする。一方、起動抵抗Ｒ５２を介して流れる整流回路ＤＢの電流がコンデンサＣ９に流れると共に、ＩＶ制御電源用のコンデンサＣ１６に流れる。
【００１３】
この起動電流の入力により、まずインバータ制御回路ＩＣ２が、高周波信号を発振してスイッチング素子Ｑ２、Ｑ３を交互にオンし、次いでアクティブフィルタ制御回路ＩＣ１が立ち上がって高周波信号を発振してスイッチング素子Ｑ１をオン・オフし、高調波チョークＴ１の昇圧作用による平滑コンデンサＣ１１への充電電圧を昇圧させる。一方、スイッチング素子Ｑ２がオンした際には平滑コンデンサＣ１１からの電流が、スイッチング素子Ｑ２→スナバコンデンサＣ１７→スナバ抵抗Ｒ２１→第２分離ダイオードＤ３を経てコンデンサＣ１６に流れ、スイッチング素子Ｑ２、Ｑ３を十分に駆動できる電圧に達する。
【００１４】
これにより、スイッチング素子Ｑ３がオンしたときは、平滑コンデンサＣ１１→電極Ｆ１１→始動用のコンデンサＣ２３→電極Ｆ１２→カップリングコンデンサＣ２２→バラストチョークＴ２→スイッチング素子Ｑ３を経て電圧検出回路ＤＴの検出抵抗Ｒ２９→平滑コンデンサＣ１１の閉ループで電流が流れ、また、スイッチング素子Ｑ２がオンしたときは、カップリングコンデンサＣ２２→電極Ｆ１２→始動用のコンデンサＣ２３→電極Ｆ１１→スイッチング素子Ｑ２→バラストチョークＴ２→カップリングコンデンサＣ２２の閉ループで電流が流れ、バラストチョークＴ２、カップリングコンデンサＣ２２、電極Ｆ１２、コンデンサＣ２３及び電極Ｆ１１の直列回路に高周波電流が流れる。そして、バラストチョークＴ２と始動用のコンデンサＣ２３の
ＬＣ直列共振により生じるコンデンサＣ２３の高周波電圧が蛍光ランプＬＡ１に印加される。
【００１５】
蛍光ランプＬＡ１の点灯中は、電圧検出回路ＤＴの検出抵抗Ｒ２９には高周波電圧が生じており、この電圧はダイオードＤ６の整流作用によりコンデンサＣ２１に充電され、インバータ制御回路ＩＣ２の端子５に印加している。この時は、異常検出のための閾値Ｖ５の方が大きいので、インバータ制御回路ＩＣ２は発振動作を継続する。以上は蛍光ランプＬＡ１が装着されているときの動作であり、装着されていないときは、ランプ接続検出用抵抗Ｒ５３に電圧が印加されないので、ランプ接続検出用トランジスタＱ９をオンにするのでインバータ制御回路ＩＣ２の端子５に電圧が印加されず発振動作をしないのでインバータ回路ＩＶ１が発振しない。
【００１６】
蛍光ランプＬＡ１が寿命末期或いは不良状態で交流電源ＡＣが投入されたときや、蛍光ランプＬＡ１の点灯中に電極Ｆ１１、Ｆ１２の何れか一方が外されたときは、蛍光ランプＬＡ１への電流が遮断され、バラストチョークＴ２、カップリングコンデンサＣ２２と進相コンデンサＣ２５で構成される直列回路だけに高周波の進相電流が流れる。この進相電流により、電圧検出回路ＤＴの検出抵抗Ｒ２９に異常に大きい高周波電圧が生じ、この電圧がダイオードＤ６の整流作用によってコンデンサＣ２１に充電され、インバータ制御回路ＩＣ２の端子５に印加する。この場合、インバータ制御回路ＩＣ２は、閾値Ｖ５を越えるので高周波信号の発振を停止する。この発振の停止によりアクティブフィルタ制御回路ＩＣ１も高周波信号の発振を停止する。
なお、インバータ制御回路ＩＣ２は、保護動作の保持機能を備えているので、端子１の電圧がなくならないと保護動作を解除できない。
【００１７】
そして、以上の放電灯点灯装置の一般点灯用回路１６を図６、７に示した非常灯切替回路の一般点灯用回路１５に組み合わせて使用し、放電灯ＬＡ１を点灯した場合、点灯中に停電が発生すると、リレーコイルＲＹの励磁電圧がなくなり、リレー接点Ｒｙ１〜Ｒｙ３は常閉接点ＮＣに切替わり、インバータＩＶ２が発振を開始し、交流電源Ｅの電圧が高周波電圧に変化され、放電灯ＬＡ１に印加されるため、放電灯ＬＡ１は非常点灯を開始する。
【００１８】
このように放電灯ＬＡ１を一般用点灯回路１５で点灯中に停電で非常用点灯回路１４に切替わることは、一般点灯用回路１５において、点灯中に蛍光ランプＬＡ１を外した状態と同じであるため保護回路が動作する。
従って、電圧検出回路ＤＴの検出抵抗Ｒ２９に異常に大きい高周波電圧が生じ、インバータ制御回路ＩＣ２の端子５に印加され閾値Ｖ５を越えるので高周波信号の発振を停止する。さらに、カップリングコンデンサＣ２２が放電するまでは、カップリングコンデンサＣ２２→ランプ接続検出用抵抗Ｒ５４→抵抗Ｒ５５と電流が流れて抵抗Ｒ５５に電圧が印加されており、ランプ接続検出用トランジスタＱ９はＯＦＦし続けるため保護動作を解除できない。
【００１９】
そして、カップリングコンデンサＣ２２が放電される前に電源が短時間に復帰すると、リレー接点が一般点灯回路に切り替わる前、すなわち、蛍光ランプＬＡ１が未接続の状態でインバータＩＶ１が発振起動することになる。これは、点灯中に蛍光ランプＬＡ１を外した状態と同じであるため、再び保護回路が動作する。そのため、保護動作を継続してしまい一般点灯ができないのである。
なお、図９に示す放電灯点灯装置でも同様である。
【００２０】
この発明は上記のような問題点を解消するためになされたもので、短時間の電源遮断が発生しても、電源復帰後に一般点灯ができなくなるのを防ぐことができる保護回路を有する非常点灯切替器を得ることを目的とする。
【００２１】
【課題を解決するための手段】
この発明に係る非常灯切替回路は、交流電源を整流・平滑した直流電源で動作するインバータ回路と、非常用電源で動作する非常点灯用回路と、交流電源の有無に応じて放電灯を前記インバータ回路または前記非常点灯用回路に接続を切替えて点灯させる検知・制御手段とを備える非常灯切替回路において、前記インバータ回路は、このインバータ回路に接続される前記放電灯が点灯中に前記インバータ回路から電気的に外されたことを検出すると前記インバータ回路を保護して、所定時間は保護状態を継続し、前記所定時間経過後に保護状態を解除する保護機能を備え、前記検知・制御手段は、前記交流電源が停電したことを検知すると前記放電灯を前記インバータ回路から切り離して前記非常点灯用回路に接続するように切替え、前記交流電源が復電したことを検知すると前記所定時間より遅延させて前記放電灯を前記非常灯用点灯回路から切り離して前記インバータ回路に接続するように切替えるタイマー手段とを備える。
【００２２】
【発明の実施の形態】
図１は実施の形態を示す非常灯切替回路のブロック図である。図において、Ｅは交流電源、１２は通常時に放電灯ＬＡ１を点灯する一般用インバータ回路、Ｔ１は電源トランス、Ｒｅは全波整流回路、Ｃ１０２は全波整流回路Ｒｅの正極と負極間に接続された平滑コンデンサ、１３はタイマー手段であり、全波整流回路Ｒｅの正極と負極間に直列に接続された抵抗Ｒ１０１とコンデンサＣ１０１、ＺＤ１０１は抵抗Ｒ１０１とコンデンサＣ１０１の接続点にカソードが接続されたツェナーダイオード、ベースがツェナーダイオードＺＤ１０１に接続され、コレクタが抵抗Ｒ１０２とＲ１０４を介して全波整流回路Ｒｅの正極、エミッタが全波整流回路Ｒｅの負極に接続されたトランジスタＱ１０２から構成される。
【００２３】
Ｑ１０３はベースがトランジスタＱ１０２のコレクタに抵抗Ｒ１０４を介して接続され、エミッタが全波整流回路Ｒｅの正極、コレクタが検知・制御手段であるリレーコイルＲＹを介して全波整流回路Ｒｅの負極に接続されたトランジスタ、Ｂは正極が直列に接続された抵抗Ｒ１０３、ダイオードＤ１０２を介して全波整流回路Ｒｅの正極、負極が全波整流回路Ｒｅの負極に接続された非常用の二次電池である。Ｒｙ１はリレーコイルＲＹにより切り換えられる第１のリレー接点、１１は停電時に二次電池がリレーＲｙ１によって接続され放電灯ＬＡ１を点灯する非常点灯用回路、Ｒｙ２はリレーコイルＲＹにより放電灯ＬＡ１との接続を非常点灯用回路１１、または、雑音防止用コンデンサＣ２３に切り換える第２のリレー接点、Ｒｙ３はリレーコイルＲＹにより放電灯ＬＡ１との接続を一般点灯用インバータ回路１２、または、非常用点灯回路１１に切替える第３のリレー接点である。
【００２４】
なお、一般点灯用インバータ回路１２は例えば従来例の図８で示した保護回路を有する放電灯点灯装置の整流回路ＤＢ、平滑回路ＤＣ１、インバータ回路ＩＶ１を含むインバータ回路部１６とし、非常点灯用回路１１は例えば従来例の図６の非常点灯用回路１４とする。
【００２５】
次に、この構成における非常灯切替回路の動作を図１、図２により説明する。
まず、交流電源Ｅが通電されると一般点灯用インバータ回路１２が動作するが放電灯ＬＡ１はまだ接続されてないので点灯はしない。一方、交流電源Ｅの電圧は電源トランスＴにより降圧され、全波整流回路Ｒｅ、平滑コンデンサＣ１０２で全波整流、平滑化されタイマー手段１３に出力する。そして、タイマー手段１３の抵抗Ｒ１０１、コンデンサＣ１０１の時定数でコンデンサＣ１０１が充電され、この電圧がツェナーダイオードＤＺ１０１の電圧以上になると、トランジスタＱ１０２がＯＮし、次にトランジスタＱ１０３がＯＮとなる。
【００２６】
そして、リレーＲＹが励磁され、リレー接点Ｒｙ１が常閉接点ＮＯに切替えられるため、非常点灯回路１１は動作せず、リレー接点Ｒｙ２、ＲＹ３が常開接点ＮＯに接続されるため、一般点灯用インバータ回路１２の出力により放電灯ＬＡ１が点灯する。また、全波整流回路Ｒｅに抵抗Ｒ１０３、ダイオードＤ１０２を介して接続された二次電池Ｂが充電される。
なお、リレー接点Ｒｙ１はトランジスタ等の半導体スイッチでもよく、リレー接点は図２に示すように、リレー接点Ｒｙ２、Ｒｙ３の他、リレー接点Ｒｙ４、Ｒｙ５を設けたのでもよい。
【００２７】
ここで、充電されたコンデンサＣ１０１の電圧がツェナーダイオードＤＺ１０１の電圧以上になる時間がタイマ手段１３の遅延時間であり、抵抗Ｒ１０１、コンデンサＣ１０１の時定数を、一般点灯用インバータ回路１２に使用した図８の放電灯点灯装置のカップリングコンデンサＣ２２の放電時定数より長く設定している。
【００２８】
次に、停電時には、交流電源Ｅにより一般点灯用インバータ回路１２の動作が停止する。そして、タイマー手段１３のコンデンサＣ１０１が放電し、ツェナーダイオードＤＺ１０１の電圧以下になると、トランジスタＱ１０２がＯＦＦし、次にトランジスタＱ１０３がＯＦＦとなり、リレーＲＹが励磁されなくなり、リレー接点Ｒｙ１が常閉接点ＮＣに切替えられるため、非常点灯回路１１が動作し、リレー接点Ｒｙ２、ＲＹ３が常閉接点ＮＣに接続されるため、放電灯ＬＡ１が点灯する。
【００２９】
一方、一般点灯用回路１２においては、図８に示す放電灯点灯装置が使用されており、この装置では蛍光ランプＬＡ１の点灯中に電極Ｆ１１、Ｆ１２の何れか一方が外されたときは、蛍光ランプＬＡ１への電流が遮断され、バラストチョークＴ２、カップリングコンデンサＣ２２と進相コンデンサＣ２５で構成される直列回路だけに高周波の進相電流が流れる。この進相電流により、電圧検出回路ＤＴの検出抵抗Ｒ２９に異常に大きい高周波電圧が生じ、この電圧がダイオードＤ６の整流作用によってコンデンサＣ２１に充電され、インバータ制御回路ＩＣ２の端子５に印加する。この場合、インバータ制御回路ＩＣ２は、閾値Ｖ５を越えるので高周波信号の発振を停止する。
【００３０】
この発振の停止によりアクティブフィルタ制御回路ＩＣ１も高周波信号の発振を停止し、また、インバータ制御回路ＩＣ２は、保護動作の保持機能を備えているので、端子１の電圧がなくならないと保護動作を解除できないものである。
なお、進相コンデンサＣ２５は部品としてはなくとも浮遊容量の影響で進相電流が流れ、検出抵抗Ｒ２９に大きい高周波電圧が生じるのでその後の動作は同じになる。また、インバータＩＶ１に接続される負荷回路ＬＡＣ１は図９に示すようにスイッチング素子Ｑ３に並列でもよい。なお、抵抗Ｒ５６はランプ接続検出用抵抗である。
【００３１】
このため、放電灯ＬＡ１を一般用点灯回路１２で点灯中に停電で非常用点灯回路１１に切替わることは、一般点灯用回路１２において、点灯中に蛍光ランプＬＡ１を外した状態と同じであるため保護動作が働き、電圧検出回路ＤＴの検出抵抗Ｒ２９に異常に大きい高周波電圧が生じ、インバータ制御回路ＩＣ２の端子５に印加され閾値Ｖ５を越えるので高周波信号の発振を停止する。さらに、カップリングコンデンサＣ２２が放電するまでは、カップリングコンデンサＣ２２→  ランプ接続検出用抵抗Ｒ５４→抵抗Ｒ５５と電流が流れ抵抗Ｒ５５に電圧が印加されており、ランプ接続検出用トランジスタＱ９はＯＦＦし続けるため保護動作を解除できない状態となっていいる。
【００３２】
次に、交流電源Ｅが復帰すると、交流電源Ｅの電圧は電源トランスＴ、全波整流回路Ｒｅ、平滑コンデンサＣ１０２を介してタイマー手段１３に入力されると、タイマー手段１３の抵抗Ｒ１０１、コンデンサＣ１０１の時定数でコンデンサＣ１０１が充電され、この電圧がツェナーダイオードＤＺ１０１の電圧以上になると、トランジスタＱ１０２がＯＮし、次にトランジスタＱ１０３がＯＮとなり、リレーＲＹが励磁され、リレー接点Ｒｙ１が常閉接点ＮＯに切替えられるため、非常点灯回路１１は動作を停止し、リレー接点Ｒｙ２、ＲＹ３が常開接点ＮＯに接続される。
【００３３】
このとき、一般点灯用回路１２のカップリングコンデンサＣ２２が放電される前に電源が短時間に復帰したときは、一般点灯回路１２は保護動作を継続しているので一般点灯ができないが、タイマー手段１３の抵抗Ｒ１０１、コンデンサＣ１０１の時定数でコンデンサＣ１０１が充電され、この電圧がツェナーダイオードＤＺ１０１の電圧以上になる時間、即ち遅延時間が、カップリングコンデンサＣ２２が放電する時間より長く設定してあるので、リレー接点Ｒｙ２、ＲＹ３が常開接点ＮＯに接続されると、一般点灯用インバータ回路１２の出力により放電灯ＬＡ１が点灯する。
【００３４】
なお、タイマ手段の挿入位置は、電源のオン／オフを検知できる位置であって、その検知結果によってリレーＲＹを制御できる位置であれば、図１に示した位置に限らず、図３の様に整流回路Ｒｅの手前、あるいは図４の様に一般点灯用回路１２内に挿入しても同じ効果をもたらすことができる。
【００３５】
また、タイマ手段１３を構成する時定数回路は、図１のようにＣＲの時定数回路の他、図５のようにミラー積分回路を用いても同じ効果をもたらすことができる。むしろ、ミラー積分回路では小容量コンデンサで大きな時定数をつくることができるので、実回路として有効である。
図において抵抗ｒ１０１、コンデンサＣ１０１、トランジスタｑ１０１がミラー回路である。Ｄ１０１は電源遮断時のコンデンサＣ１０１の放電用ダイオードである。
【００３６】
【発明の効果】
以上のように、この発明は、交流電源を整流・平滑した直流電源で動作するインバータ回路と、非常用電源で動作する非常点灯用回路と、交流電源の有無に応じて放電灯を前記インバータ回路または前記非常点灯用回路に接続を切替えて点灯させる検知・制御手段とを備える非常灯切替回路において、前記インバータ回路は、このインバータ回路に接続される前記放電灯が点灯中に前記インバータ回路から電気的に外されたことを検出すると前記インバータ回路を保護して、所定時間は保護状態を継続し、前記所定時間経過後に保護状態を解除する保護機能を備え、前記検知・制御手段は、前記交流電源が停電したことを検知すると前記放電灯を前記インバータ回路から切り離して前記非常点灯用回路に接続するように切替え、前記交流電源が復電したことを検知すると前記所定時間より遅延させて前記放電灯を前記非常灯用点灯回路から切り離して前記インバータ回路に接続するように切替えるタイマー手段とを備えたので、短時間の電源遮断が発生しても、電源復帰後に一般点灯ができなくなるのを防ぐことができる。
【図面の簡単な説明】
【図１】  この発明の実施の形態を示す非常灯切替回路のブロック図である。
【図２】  この発明の実施の形態を示す非常灯切替回路のブロック図である。
【図３】  この発明の実施の形態を示す非常灯切替回路のブロック図である。
【図４】  この発明の実施の形態を示す非常灯切替回路のブロック図である。
【図５】  この発明の実施の形態を示す非常灯切替回路のタイマーの回路図である。
【図６】  従来の非常灯切替回路の回路図である。
【図７】  従来の非常灯切替回路のブロック図である。
【図８】  非常灯切替回路に組合わせて使用される放電灯点灯装置の回路図である。
【図９】  非常灯切替回路に組合わせて使用される放電灯点灯装置の回路図である。
【符号の説明】
Ｅ  交流電源、１２  一般用インバータ回路、１３  タイマー手段、Ｒｙ  リレーコイル、Ｂ  二次電池、Ｒｙ１  第１のリレー接点、Ｒｙ２  第２のリレー接点  、Ｒｙ３  第３のリレー接点。
【図１】
0003687032.tif 000002
【図２】
0003687032.tif 000003
【図３】
0003687032.tif 000004
【図４】
0003687032.tif 000005
【図５】
0003687032.tif 000006
【図６】
0003687032.tif 000007
【図７】
0003687032.tif 000008
【図８】
0003687032.tif 000009
【図９】
0003687032.tif 000010